(57)【特許請求の範囲】
【請求項１】
来訪者が居住者を呼び出すための玄関子機と、居住者が前記玄関子機からの呼び出しに応答するための居室親機とを有し、前記玄関子機には来訪者を撮像するためのカメラが設けられて、前記居室親機には前記カメラの撮像映像を表示するモニタが設けられて成るインターホン装置であって、
前記玄関子機は、前記居室親機の機種と送信する映像の画角との関係を記憶する機種情報記憶部と、
前記居室親機と通信して、前記居室親機の機種情報を入手する通信制御部と、
前記カメラが撮像した映像を映像信号に変換する映像信号生成部と、
前記映像信号を基に、その画角以下で任意の画角の映像信号を生成する子機映像処理部と、
前記居室親機に送信する映像信号を制御する送信映像制御部とを有し、
前記送信映像制御部は、前記カメラの撮像映像を前記居室親機に送信する際に、入手した前記居室親機に関連付けられている画角情報を前記機種情報記憶部から読み取って、当該画角の映像を前記子機映像処理部に生成させて送信するよう制御することを特徴とするインターホン装置。
【請求項２】
前記通信制御部は、電源投入時、呼出開始時、モニタ開始時、待受時の一定間隔のうち、少なくとも何れかのタイミングで前記居室親機から機種情報を入手することを特徴とする請求項１記載のインターホン装置。
【請求項３】
前記送信映像制御部は、前記通信制御部が前記居室親機から機種情報を入手出来ない場合は、予め設定された低解像度モニタ対応の画角の映像を前記子機映像処理部に生成させて送信することを特徴とする請求項１又は２記載のインターホン装置。
【発明の詳細な説明】
【技術分野】
【０００１】
本発明は、来訪者が居住者を呼び出して通話を実施できるインターホン装置に関し、特に来訪者を撮像するためのカメラを備えたインターホン装置に関する。
【背景技術】
【０００２】
玄関子機にカメラを設けて来訪者を撮像し、撮像した映像を居室親機のモニタに表示して、呼出時或いは通話時に居住者が来訪者を映像で確認できるインターホン装置が普及している（例えば、特許文献１参照）。
【先行技術文献】
【特許文献】
【０００３】
【特許文献１】特開２００４−３０４５５８号公報
【発明の概要】
【発明が解決しようとする課題】
【０００４】
従来より玄関子機と居室親機の組み合わせは１種類ではなく、カメラを備えたシステムも例外ではなく１つの玄関子機に対して複数種類の居室親機が接続可能となっている。そのため、選択した居室親機によってはモニタの解像度が低いにもかかわらず、玄関子機カメラの撮像範囲が例えば水平方向で１７０°の広角映像がそのまま表示される場合が発生した。このような場合、モニタに表示される来訪者が小さくなるため人物の判別がし辛かった。
【０００５】
そこで、本発明はこのような問題点に鑑み、接続された居室親機のモニタ解像度に合わせた映像を玄関子機から送信させることができ、居室親機のモニタ解像度が低くても来訪者を確認し易い映像を表示できるインターホン装置を提供することを目的としている。
【課題を解決するための手段】
【０００６】
上記課題を解決する為に、請求項１の発明は、  来訪者が居住者を呼び出すための玄関子機と、居住者が玄関子機からの呼び出しに応答するための居室親機とを有し、玄関子機には来訪者を撮像するためのカメラが設けられて、居室親機にはカメラの撮像映像を表示するモニタが設けられて成るインターホン装置であって、玄関子機は、居室親機の機種と送信する映像の画角との関係を記憶する機種情報記憶部と、居室親機と通信して、居室親機の機種情報を入手する通信制御部と、カメラが撮像した映像を映像信号に変換する映像信号生成部と、映像信号を基に、その画角以下で任意の画角の映像信号を生成する子機映像処理部と、居室親機に送信する映像信号を制御する送信映像制御部とを有し、送信映像制御部は、カメラの撮像映像を居室親機に送信する際に、入手した居室親機に関連付けられている画角情報を機種情報記憶部から読み取って、当該画角の映像を子機映像処理部に生成させて送信するよう制御することを特徴とする。
この構成によれば、居室親機のモニタの解像度に応じて玄関子機から送信される映像の画角が変更される。即ち表示する来訪者の大きさが変更される。そのため、解像度の低い小さなモニタでは来訪者を大きく表示させることができ、モニタが小さくても来訪者を確認し易い。
【０００７】
請求項２の発明は、請求項１に記載の構成において、通信制御部は、電源投入時、呼出開始時、モニタ開始時、待受時の一定間隔のうち、少なくとも何れかのタイミングで居室親機から機種情報を入手することを特徴とする。
この構成によれば、自動で居室親機の機種情報を入手するため、設定操作が必要ない。
【０００８】
請求項３の発明は、請求項１又は２に記載の構成において、送信映像制御部は、通信制御部が居室親機から機種情報を入手出来ない場合は、予め設定された低解像度モニタ対応の画角の映像を子機映像処理部に生成させて送信することを特徴とする。
この構成によれば、居室親機から機種情報を入手出来ない場合は、低解像度対応の映像を送信するため、モニタの解像度に拘わらず人物を確認し易い映像を表示できる。
【発明の効果】
【０００９】
本発明によれば、モニタの解像度に応じて玄関子機から送信される映像の画角が変更される。即ち表示する来訪者の大きさが変更される。そのため、解像度の低い小さなモニタでは来訪者を大きく表示させることができ、モニタが小さくても来訪者を確認し易い。
【図面の簡単な説明】
【００１０】
【図１】本発明に係るインターホン装置の一例を示すブロック図である。
【発明を実施するための形態】
【００１１】
以下、本発明を具体化した実施の形態を、図面を参照して詳細に説明する。図１は本発明に係るインターホン装置のブロック図であり、１は玄関等の戸外に設置されて来訪者が居住者を呼び出すための玄関子機、２は住戸内に設置されて来訪者の呼び出しに応答するための居室親機であり、両者は伝送線Ｌを介して接続されている。
【００１２】
玄関子機１は、来訪者を撮像するためのカメラ１１、カメラ１１の撮像映像から居室親機２に伝送するための映像信号を生成する映像信号生成部１２、映像信号の画角調整及び変調処理等を行う子機映像処理部１３、呼出ボタン１４、通話するためのマイク１５ａ及びスピーカ１５ｂ、音声信号を制御する音響部１５、居室親機２の機種と生成する映像の画角との関連付けを記憶する記憶部（機種情報記憶部）１６、玄関子機１を制御する子機ＣＰＵ１７、居室親機２と通信する子機ＩＦ１８等を備えている。
【００１３】
居室親機２は、カメラ１１の撮像映像を表示するＬＣＤから成るモニタ２１、玄関子機１から送信された映像信号の復調処理等を実施する親機映像処理部２２、映像を録画する録画メモリ２３、カメラ１１を起動させるモニタボタン２４、各種設定操作を行う操作部２５、呼び出しに応答するための通話ボタン２６、通話するためのマイク２７ａ及びスピーカ２７ｂ、音声信号を制御する音響部２７、居室親機２を制御する親機ＣＰＵ２８、玄関子機１と通信する親機ＩＦ２９等を備えている。
【００１４】
上記の如く構成されたインターホン装置は以下のように動作する。但し、呼出ボタン１４を操作して居住者を呼び出す呼出操作、通話ボタン２６の操作による応答操作等は従来と同様であるため説明を省略し、ここではカメラ１１の撮像映像を居室親機２のモニタ２１に表示させる動作を中心に説明する。
最初にインターホン装置の施工が完了して電源が投入されたら、親機ＣＰＵ２８及び子機ＣＰＵ１７は初期設定制御を実施する。このとき子機ＣＰＵ１７の制御により玄関子機１から居室親機２に対して居室親機２の機種を問う問合せ信号が送信される。
この信号を受信した居室親機２では、親機ＣＰＵ２８の制御により、自身に設定されている機種情報を返信する。
【００１５】
尚、問合せ信号を送信するタイミングは、電源投入時でなくとも良く、例えば待受時の任意のタイミング、呼出開始時、或いはモニタボタン２４を操作したモニター開始時等のタイミングでも良い。更に、親機ＣＰＵ２８の制御で自身の機種情報を玄関子機１に送信しても良い。
【００１６】
こうして居室親機２の機種情報を入手した子機ＣＰＵ１７は、記憶部１６から接続されている居室親機２に関連付けられている画角情報を読み取り、カメラ１１が起動した際に子機映像処理部１３にてその画角の映像を生成させる。
例えば、カメラ１１の撮像映像が水平方向画角１７０°の広角映像(来訪者が小さく表示される映像)であって、接続されている居室親機２が解像度ＷＶＧＡのモニタ２１を備えている場合、記憶部１６には画角１７０°が関連付けられており、映像処理部１３では画角を変更しない映像信号生成部１２において生成された水平方向画角１７０°の映像が居室親機２に送信され、モニタ２１に表示される。
【００１７】
一方、居室親機２のモニタ２１の解像度がＱＱＶＧＡである場合、記憶部１６には画角１２０°が関連付けられており、映像処理部１３において水平方向１７０°で撮像された映像が加工されて水平方向画角１２０°の映像(来訪者が大きく表示される映像)が生成され、この映像がモニタ２１に表示される。
尚、画角１２０°の映像は、画角１７０°で撮像されるカメラの撮像映像の中央部を拡大した映像となる。
【００１８】
このように、モニタ２１の解像度に応じて玄関子機１から伝送される映像の画角が変更される。即ち表示する来訪者の大きさが変更されるため、解像度の低い小さなモニタ２１では来訪者を大きく表示させることができ、モニタ２１が小さくても来訪者を確認し易い。また、自動で居室親機２の機種情報を入手するため、設定操作が必要ない。
【００１９】
但し、玄関子機１から送信される問合せ信号に対して居室親機２が応答する機能を備えていない機種が接続されている場合は、予め設定された比較的狭い画角の映像が生成されて送信される。例えば、水平方向１２０°の映像が生成されて送信される。この結果、居室親機２から機種情報を入手出来ない場合は、狭い画角の映像を伝送することで、モニタ２１の解像度に拘わらず人物を確認し易い映像を表示できる。
【００２０】
尚、上記実施形態ではモニタ解像度に応じて画角１７０°の映像と画角１２０°の映像の２種類の画角の映像の何れかを送信する場合を説明したが、モニタ２１の解像度としては、それ以外にＶＧＡ、ＱＶＧＡ等があり、例えばＱＶＧＡの場合は画角１２０°の映像を生成し、ＱＱＶＧＡの場合は更に画角を狭くして１００°の映像を生成して送信しても良い。また、カメラ１１が撮像する画角も水平方向１７０°に固定するものではなく、任意の画角のカメラを使用できる。
【符号の説明】
【００２１】
１・・玄関子機、２・・居室親機、１１・・カメラ、１２・・映像信号生成部、１３・・子機映像処理部、１６・・記憶部（機種情報記憶部）、１７・・子機ＣＰＵ（通信制御部、送信映像制御部）、２１・・モニタ、２６・・通話ボタン、２８・・親機ＣＰＵ。
【図１】
0006525859.tif 000002